(57)【要約】      （修正有）【課題】一般の眼鏡の鼻や耳への負担を軽減させるために、耳の上部内側の凹部を利用して、耳の形状に合わせて確実に密着して、眼鏡のテンプル及び／又はモダンに装着する眼鏡装着具を提供する。【解決手段】眼鏡を耳で支持するための装着具であって、眼鏡のテンプル２及び／又はモダンに装着する連結部３と、該連結部３から伸びて耳甲介舟に嵌る、及び又は、耳輪の内側の窪に嵌る押え部６とを備える。【選択図】図２
2018136372.tif 000002
【特許請求の範囲】
【請求項１】
眼鏡を耳で支持するための装着具であって、前記眼鏡のテンプル及び／又はモダンに装着する連結部と、該連結部から伸びて耳甲介舟に嵌る、及び又は、耳輪の内側の窪に嵌る押え部とを備えた眼鏡装着具。
【請求項２】
前記押え部が所定以上の力で塑性変形する部材で、及び／又は、前記嵌る方向に付勢する弾性体で構成されている請求項１に記載の眼鏡装着具。
【請求項３】
前記押え部がヒンジを介して前記連結部に回動可能に連結されており、前記ヒンジが前記押え部を前記耳甲介舟に嵌る位置で、及び又は、前記耳輪の内側の窪みに嵌る位置で、該押え部の動きを拘束する拘束部材を備えている請求項１又は２に記載の眼鏡装着具。
【請求項４】
前記押え部が駆動軸を介して前記連結部に回動可能に連結されており、前記駆動軸が前記押え部を前記耳甲介舟に嵌る位置まで、及び又は、前記耳輪の内側の窪みに嵌る位置まで回動させて停止する請求項１又は２に記載の眼鏡装着具。    
【請求項５】
前記押え部が自在継手を介して前記連結部に連結されており、前記自在継手が前記押え部の始端部に設けられた球状体と、該球状体を内部で回動可能に包み込む包囲体とで構成され、前記包囲体には、前記球状体の回動を抑制する摩擦部材が設けられている請求項１又は２に記載の眼鏡装着具。
【請求項６】
前記押え部が自在継手を介して前記連結部に連結されており、前記自在継手が前記押え部の始端部に設けられた球状体と、該球状体を内部で回動可能に包み込む包囲体とで構成され、前記包囲体と前記球状体との間には、前記球状体の回動を抑制するスプリングが設けられている請求項１又は２に記載の眼鏡装着具。
【請求項７】
前記押え部の始端部近傍の内側から側方に突出する突起部が設けられており、該突起部と対向する前記連結部の下端部には前記突起部を係止する係止部が設けられ、該係止部上に前記突起部を乗せて、押え部の回動を阻止する構造である請求項１から６の何れかに記載の眼鏡装着具。
【請求項８】
前記連結部には、前記押え部を前記耳介甲舟、及び／又は、前記耳輪の内側の窪みに嵌る方向に回動させる駆動部が設けられている請求項１又は３から７の何れかに記載の眼鏡装着具。
【請求項９】
前記包囲体、及び／又は、前記球状体には、前記押え部を前記耳介甲舟、及び／又は、前記耳輪の内側の窪みに嵌る方向に回動させる駆動部が設けられている請求項６に記載の眼鏡装着具。
【請求項１０】
前記連結部には、前記眼鏡のテンプルと該テンプルが装着される側頭部との隙間を埋めるブロックが設けられている請求項１又は３から８の何れかに記載の眼鏡装着具。
【請求項１１】
前記眼鏡装着具に、イヤホン３０、骨伝導補聴器、補聴器、血流量センサー３２、耳式血圧装置３３、携帯電話と通信する通信機器３４、カメラ３５、ラジオの何れかが取り付けられていることを特徴とする請求項１から１０の何れかに記載の眼鏡装着具。
【発明の詳細な説明】
【技術分野】
【０００１】
本発明は、眼鏡を耳の上部で安定して装着するために、テンプルに取り付ける眼鏡装着具に関する。
【背景技術】
【０００２】
従来、眼鏡はモダンを耳の耳介側頭溝に掛けて,鼻パッドを使用して装着しているので、レンズ部に取り付けた鼻パッドは、鼻に負担をかけている。出願人が先に「眼鏡」特許第５３６８６５７号，「眼鏡」特許第５４０６４１１号，「眼鏡」特許第５４５１９３５号を取得している。これらの「眼鏡」は、眼鏡を保持するために耳朶の裏表面に当接させている保持体と、挟持ストッパーが協働して挟持することによって、眼鏡を安定して固定しているが、人の耳は柔軟でありその形状は様々である。眼鏡を保持する耳の耳介側頭溝に沿わせることはできるが、耳朶を挟持して耳に対する負担を軽減させて、眼鏡を装着感が良く安定して固定させるには、さらなる改良を必要とする。
【０００３】
この問題に対しては、例えば、出願人が先に出願して、特許査定となっている下記特許文献１、２は、湾曲部の上方後方の傾斜した部分の支点と、耳挿入部が押し圧する耳甲介の後方内面との、垂直方向の二カ所で眼鏡を保持し、さらに湾曲部に連結された連結部は、耳輪を乗り越えて耳の表側に延設されて、耳挿入部に連結されているので、連結部の長さは短くコンパクトであるが、眼鏡装着時には髪の毛に絡み易く、電話をかける時に、連結部がスピーカーに当接して音声が聞きとれ難くなるおそれがある。
【先行技術文献】
【特許文献】
【０００４】
【特許文献１】特願２０１６−０５６５７４
【特許文献２】特願２０１６−０５６５７５
【発明の概要】
【発明が解決しようとする課題】
【０００５】
眼鏡は、レンズや機器の重量が鼻の両側の柔らかい皮膚面を押圧し、鼻パッドが当接した部分は変色して跡が残る。そうした製品を長時間装着することが問題であることは変わらない。本発明は、こうした問題を解決しようとするもので、一般の眼鏡の鼻や耳への負担を軽減させるために、耳の上部内側の凹部を利用して、耳の形状に合わせて確実に密着して、眼鏡のテンプル及び／又はモダンに装着する眼鏡装着具を提供することを課題とする。
【課題を解決するための手段】
【０００６】
第１発明の眼鏡装着具は、眼鏡を耳で支持するための装着具であって、前記眼鏡のテンプル及び／又はモダンに装着する連結部と、該連結部から伸びて耳甲介舟に嵌る、及び又は、耳輪の内側の窪に嵌る押え部とを備えたことを特徴とする。
【０００７】
第２発明の眼鏡装着具は、第１発明において、前記押え部が所定以上の力で塑性変形する部材で、及び／又は、前記嵌る方向に付勢する弾性体で構成されていることを特徴とする。
【０００８】
第３発明の眼鏡装着具は、第１又は２発明において、前記押え部がヒンジを介して前記連結部に回動可能に連結されており、前記ヒンジが前記押え部を前記耳甲介舟に嵌る位置で、及び又は、前記耳輪の内側の窪みに嵌る位置で、該押え部の動きを拘束する拘束部材を備えていることを特徴とする。
【０００９】
第４発明の眼鏡装着具は、第１又は２発明において、前記押え部が駆動軸を介して前記連結部に回動可能に連結されており、前記駆動軸が前記押え部を前記耳甲介舟に嵌る位置まで、及び又は、前記耳輪の内側の窪みに嵌る位置まで回動させて停止することを特徴とする。
【００１０】
第５発明の眼鏡装着具は、第１又は２発明において、前記押え部が自在継手を介して前記連結部に連結されており、前記自在継手が前記押え部の始端部に設けられた球状体と、該球状体を内部で回動可能に包み込む包囲体とで構成され、前記包囲体には、前記球状体の回動を抑制する摩擦部材が設けられていることを特徴とする。
【００１１】
第６発明の眼鏡装着具は、第１又は２発明において、前記押え部が自在継手を介して前記連結部に連結されており、前記自在継手が前記押え部の始端部に設けられた球状体と、該球状体を内部で回動可能に包み込む包囲体とで構成され、前記包囲体と前記球状体との間には、前記球状体の回動を抑制するスプリングが設けられていることを特徴とする。
【００１２】
第７発明の眼鏡装着具は、第１から第６発明の何れかにおいて、前記押え部の始端部近傍の内側から側方に突出する突起部が設けられており、該突起部と対向する前記連結部の下端部には前記突起部を係止する係止部が設けられ、該係止部上に前記突起部を乗せて、押え部の回動を阻止する構造であることを特徴とする。
【００１３】
第８発明の眼鏡装着具は、第１又は第３から第７発明の何れかにおいて、前記連結部には、前記押え部を前記耳介甲舟、及び／又は、前記耳輪の内側の窪みに嵌る方向に回動させる駆動部が設けられていることを特徴とする。
【００１４】
第９発明の眼鏡装着具は、第６発明において、前記包囲体、及び／又は、前記球状体には、前記押え部を前記耳介甲舟、及び／又は、前記耳輪の内側の窪みに嵌る方向に回動させる駆動部が設けられていることを特徴とする。
【００１５】
第１０発明の眼鏡装着具は、第１又は第３から第８発明の何れかにおいて、前記連結部には、前記眼鏡のテンプルと該テンプルが装着される側頭部との隙間を埋めるブロックが設けられていることを特徴とする。
【００１６】
第１１発明の眼鏡装着具は、第１発明から１０発明の何れかにおいて、前記眼鏡装着具に、イヤホン、骨伝導補聴器、補聴器、血流量センサー、耳式血圧装置、携帯電話と通信する通信機器、カメラの何れかが取り付けられていることを特徴とする
【発明の効果】
【００１７】
第１発明の眼鏡装着具によれば、眼鏡のテンプル及び／又はモダンに装着する連結部と、該連結部から伸びて耳甲介舟に嵌る、及び又は、耳輪の内側の窪に嵌る押え部とを備えたので、顔面や耳に装着する眼鏡を耳で確実に固定することができる。したがって、メガネに鼻パッドが無くても、それを眼前に保持することができる。
【００１８】
第２発明によれば、押え部が所定以上の力で変形する部材、及び／又は、弾性体で構成されているので、押え部を耳甲介舟や耳輪の内側の窪に、適宜の力加減で嵌め込んで確実に固定することができる。
【００１９】
第３発明によれば、連結部には、耳甲介舟、及び／又は、耳輪の内側の窪みに嵌る方向に回動し、ヒンジを介している押え部の動きを所定位置で拘束する拘束部材を備えているので、適宜の位置に止めた時、その位置で確実に固定できる。
【００２０】
第４発明によれば、連結部には、耳甲介舟、及び／又は、耳輪の内側の窪みに嵌る方向に回動し、駆動軸を介している押え部の動きを所定位置で止めた時、その位置で確実に固定できる。
【００２１】
第５発明によれば、押え部が自在継手を介して連結部に連結されており、自在継手が押え部の始端部に設けられた球状体と、該球状体を内部で回動可能に包み込む包囲体とで構成され、包囲体には、球状体の回動を抑制する摩擦部材が設けられているので、押え部を三次元的に移動させて、摩擦部材の適宜の力加減で球状体を確実に固定することができる。
【００２２】
第６発明によれば、押え部が自在継手を介して連結部に連結されており、自在継手が押え部の始端部に設けられた球状体と、該球状体を内部で回動可能に包み込む包囲体とで構成され、包囲体と球状体との間には、球状体の回動を抑制するスプリングが設けられているので、適宜の位置に止めた時、その位置にスプリングの力で確実に固定される。
【００２３】
第７発明によれば、押え部の始端部近傍の内側から側方に突出する突起部が設けられており、連結部の下端部に外側に突出する係止部が設けられ、該係止部上に突起部を乗せるので、確実に押え部の回動が阻止される
【００２４】
第８発明によれば、連結部には、押え部を耳介甲舟、及び／又は、耳輪の内側の窪みに嵌る方向に回動させる駆動部が設けられているので、手を使わなくても、電気信号でもって押え部を自在に動かして、適宜の力加減で耳輪上部を挟んで確実に固定することができる。
【００２５】
第９発明によれば、包囲体、及び／又は、球状体には、押え部を耳介甲舟、及び／又は、耳輪の内側の窪みに嵌る方向に回動させる駆動部が設けられているので、手を使わなくても、電気信号でもって押え部を自在に動かして、適宜の力加減で耳輪上部を挟んで確実に固定することができる。
【００２６】
第１０発明によれば、連結部には、眼鏡のテンプルと側頭部の隙間を埋めるブロックが設けられて、ブロックと押え部とモダンの３支点で保持しているので、安定して固定できる。
【００２７】
第１１発明によれば、眼鏡装着具に、イヤホン、骨伝導補聴器、補聴器、血流量センサー、耳式血圧装置、携帯電話と通信する通信機器、カメラの何れかが取り付けられるので、眼鏡をかけた時に使用することができる。
【図面の簡単な説明】
【００２８】
【図１】第１発明の実施例を示す側面図、斜視図である。
【図２】第１発明の実施例を示す斜視図である。
【図３】第２発明の実施例を示す側面図、正面図である。
【図４】第２発明の実施例を示す側面図である。
【図５】第３発明の実施例を示す側面図である。
【図６】第４発明の実施例を示す側面図、斜視図、断面図である。
【図７】第５発明の実施例を示す斜視図である。
【図８】第６発明の実施例を示す斜視図、断面図である。
【図９】第７発明の実施例を示す側面図、斜視図である。
【図１０】第８発明の実施例を示す正面図、斜視図である。
【図１１】第９発明の実施例を示す斜視図、断面図である。
【図１２】第１０発明の実施例を示す斜視図である。
【図１３】第１１発明の実施例を示す斜視図、断面図である。
【発明を実施するための形態】
【００２９】
以下、本発明に係る眼鏡装着具の実施形態の例を、様々な眼鏡装着具を例にして図面を参照しながら説明する。
【実施例１】
【００３０】
図１（ａ）は第１発明の眼鏡装着具本体をテンプル２とモダン１の間に取り付けたことを示す一実施形態の斜視図であり、図１（ｂ）第１発明の眼鏡装着具本体を取り付けた眼鏡を左耳にかけた状態を示す一実施形態の斜視図である。押え部６の後端部は耳甲介舟４全体に嵌る弓形状である。図１（ｃ）は押え部６の後端部が耳甲介舟４を下方から押し圧する形状を示す一実施形態の斜視図である。図１（ｄ）は第１発明の別の眼鏡装着具として、押え部６の途中から二手に分かれ、耳輪５の内側の窪みに伸びて嵌る押え部６を耳に嵌めた状態を示す一実施形態の斜視図である。この押え部６は耳甲介舟４と耳輪５の内側の窪みと、モダン１との三方向から耳輪５上部を挟持するので、最も安定して眼鏡を保持できる。図１（ｅ）は耳輪５の内側の窪みに伸びて嵌る押え部３の状態を示す一実施形態の斜視図である。これらの図において、第１発明の眼鏡装着具は、眼鏡を耳で支持するための装着具であって、前記眼鏡のテンプル２及び／又はモダン１に装着する連結部３と、該連結部３から伸びて耳甲介舟４に嵌る、及び又は、耳輪５の内側の窪に嵌る押え部６とを備えたことを特徴としている。
【００３１】
第１発明の眼鏡装着具の押え部６は連結部３から後方に伸びて、眼鏡装着具を装着する人の耳の耳甲介舟、４及び又は、耳輪５の内側の窪に嵌って密着して内面を押し圧する形状である。この耳甲介舟８は耳の中心でもあり、周縁が軟骨で包囲されているので、押え部６は安定して固定できる。耳輪５の内側の窪みに嵌る押え部６は、押え部６の後方部が耳輪５の窪みの中に隠れるので、外見から見える部分が最も小さい眼鏡装着具である。そして、眼鏡装着具を装着すると、押え部３がテンプル２又はモダン１に連結している連結部３を支点とする回転モーメントが、モダン１と押え部３とによる耳輪５上部の挟持によって阻止されるため、眼鏡装着具は耳の所定の位置に保持される。また、押え部６は耳輪５より外側に突出することなく、耳の内側に収まり、後方に伸びているので、髪の毛に絡まずに装着は容易である。デザイン的にもシンプルである。
【００３２】
図１の実施形態では、眼鏡装着具は押え部６で耳を保持するが、耳の内側は、凹凸した形状の部分が多数存在している。また、人によって凹凸の形状が異なるので、その変形例として、その人の凹凸の形状の中で、押え部６が嵌り、そこから移動せずに内側を押圧する形状にすることは勿論可能である。窪みのある耳の内側であれば押圧する場所は限定されない。
【００３３】
本発明１の連結部３をテンプル２又はモダン１に結合させる実施形態として、図２（ａ）はテンプル２を上下から一定以上の力で挟持したことを示す斜視図である。テンプルを左右から挟持しても良い。図２（ｂ）はテンプルを上下からネジで締め付けて保持したことを示す斜視図である。図２（ｃ）はテンプルを左右からネジで締め付けて保持したことを示す斜視図である。図２（ｄ）はテンプルに穴１６を設けてネジ１５で締め付けて固定したことを示す斜視図である。図２（ｅ）は連結部３をテープ１７又はゴムなどで仮止めをして、適宜の位置が決定した後、接着させる方法を示す斜視図である。連結部３をテンプル２に移動可能にして固定する方法は限定しない。前後方向に自由に移動させることができるので、レンズと目との間を示す角膜頂点間距離１２ｍｍの調整も可能となる。これにより、市販された眼鏡のテンプル２に取り付け、鼻に負担のかからない装着感の良い眼鏡装着具として便利に使用できる。
【００３４】
本発明の押え部３の材質は、シリコンゴム、ＡＢＳ、ＣＰ、ポリエステル、アセテート、ＰＶＣ、ポリアミド、ニュクレル、形状記憶樹脂、ベータプラスチック、チタンなどである。押え部３が耳甲介舟８や耳輪５の窪みに接する部分の表層材としては、人肌のように柔軟な部材であるエラストマーゲル状ウレタンを用いると良い。また、肌の温度で変形する樹脂も適している。
【００３５】
以下の図では、第１発明の構成部分と同様な部分については、その説明を省略又は簡略化し、第１発明と異なる部分の実施形態について説明する。
【実施例２】
【００３６】
第２発明の眼鏡装着具は、前記押え部６が所定以上の力で塑性変形する部材で、及び／又は、前記嵌る方向に付勢する弾性体で構成されていることを特徴としている。
【００３７】
図３（ａ）は、第２発明の変形する部材で形成された押え部６を示す一実施形態の斜視図である。矢印が示すように押え部６を耳甲介舟４の形状に合わせて密着させるために、押え部６は一定以上の力を加えると変形するが、放しても元に戻らない。このとき挟持する押し圧の調整は可能である。図３（ｂ）は第２発明の変形する部材で形成された押え部６を、耳輪５の内側の窪みの形状に合致させたことを示す斜視図である。押え部６は耳輪５の窪みに嵌り易い形状であり装着感は良い。
【００３８】
第２発明の眼鏡装着具に係る押え部６が、弾性体を利用して耳を挟持する一実施形態として、図３（ｃ）は第２発明の弾性体の押え部６を指で外側に引っ張った状態を示す正面図である。図３（ｄ）は耳介甲舟４に嵌めるために、押え部６を指で下側に押し下げた正面図である。図３（ｅ）は押え部６が弾性による付勢する力で内側に戻る状態を示す正面図である。図３（ｆ）は押え部６が弾性による付勢する力で上方に戻り、耳甲介舟８を下方から押し圧することを示す正面図である。押え部６を指先で摘まみ、一連の動作をすることにより、適宜の力で耳輪５の上部を上下から挟持するので、簡単に確実に適宜の位置に固定することができる。
【００３９】
図４（ａ）は第２発明の押え部６が二手に分かれ、分かれた一方の押え部６を耳輪５の内側の窪みに嵌め、他方の押え部６を耳甲介舟８に嵌るように、矢印が示す方向に曲げた状態を示す一実施形態の側面図である。図４（ｂ）は分かれた一方の押え部６を耳甲介舟８に嵌め、他方の押え部６を耳輪５の内側の窪みに嵌るように、矢印が示す方向に曲げた状態を示す一実施形態の側面図である。
【００４０】
図４（ｃ）は第２発明の押え部６が二手に分かれ、分かれた一方の押え部６を耳輪５の内側の窪みに嵌め、他方の押え部６に関節１８を設け、矢印が示すように耳甲介舟８に嵌めた状態を示す一実施形態の側面図である。図４（ｄ）は分かれた一方の押え部６を耳甲介舟８に嵌め、他方の押え部６に関節１８を設け、耳輪５の内側の窪みに嵌るように、矢印が示す方向に曲げた状態を示す一実施形態の側面図である。二手に分かれた押え部６を適宜の位置に調整して、様々な人の耳に密着させて挟持感の良い眼鏡装着具にすることができる。
【実施例３】
【００４１】
第３発明の眼鏡装着具は、前記押え部６がヒンジ２６を介して前記連結部３に回動可能に連結されており、前記ヒンジ２６が前記押え部６を前記耳甲介舟４に嵌る位置で、及び又は、前記耳輪５の内側の窪みに嵌る位置で、該押え部３の動きを拘束する拘束部材を備えていることを特徴としている。
【００４２】
図５（ａ）は第３発明の連結部３に拘束部材を設けた左側用のヒンジ２６を示す一実施形態の斜視図であり、図５（ｂ）は連結部３に取り付けたヒンジ２６を示す説明図である。拘束部材が押え部６を拘束する方法は、押え部６の始端部に逆ネジボルト２３の駆動軸を取り付け、この駆動軸を連結部３に設けた斜め下方に傾斜した逆ネジ穴にねじ込むと、この逆ネジ穴の奥に設けた圧縮コイルバネ１９の押し圧により押え部６が拘束される。駆動軸は適宜の位置で止めた時、その位置で押え部６を拘束して固定することができる。右側用のヒンジ２６は普通のネジ穴とボルトで良い。図５（ｃ）、図５（ｄ）は第３発明の拘束部材として、連結部３に凹部３６を、押え部６の始端部に凸部３７を設けたことを示す斜視図である。凹部３６は弾性体で形成されて、凸部３７は凹部３６を押し広げて嵌ると凹部３６の弾性体が閉って押え部６は拘束される。（例えば、凹部に嵌ると抜け難くなる凸部や、回動するに連れてネジが締まるブレーキ機構等）
【実施例４】
【００４３】
第４発明の眼鏡装着具は、前記押え部６が駆動軸を介して前記連結部３に回動可能に連結されており、前記駆動軸が前記押え部６を前記耳甲介舟４に嵌る位置まで、及び又は、前記耳輪５の内側の窪みに嵌る位置まで回動させて停止することを特徴としている。
【００４４】
図６（ａ）は第４発明の押え部６の回動を停止させるために、斜め下方に傾斜させた第二駆動軸１２にスプリングワッシャー２５を嵌めたことを示す一実施形態の斜視図である。自在継手８に逆ネジボルト２３を取り付け、この第二駆動軸１２にスプリングワッシャー２５を嵌め込んで、適宜の強さで緩まないようにナットで締め付けると、どの位置であっても押え部６を継続して停止させることができる。図６（ｂ）は連結部３に第二駆動軸１２を設けた自在継手８を、斜め下方に傾斜させ、押え部６の始端部を自在継手８に接続し、第二駆動軸１２の外周にバネ１４を設けたことを示す一実施形態の斜視図である。第二駆動軸１２に設けたバネ１４は、押え部６を斜め上方にある耳甲介舟４の方向に戻そうとする力があり、バネ１４を適宜の力に調整することにより、装着感を良くして着脱も容易にできる。
【００４５】
図６（ｃ）は第４発明のジョイント部の第一駆動軸１１及び第二駆動軸１２の外側にバネ１４を設けたことを示す一実施形態の斜視図である。第一駆動軸１１の外側に巻き付けたバネ１４の一方端を連結部３に固定し、他方端を第二駆動軸１２の自在継手８に固定している。第二駆動軸１２の外側に巻き付けたバネ１４の一方端を第二駆動軸１２の自在継手８に固定し、他方端を押え部６に固定している。これにより、矢印が示すように、押え部６が二手に分かれて耳甲介舟８と耳輪５の内側の窪み嵌ることにより、それぞれに付勢する力が広い範囲に働いて挟持できるので、非常に安定している。
【００４６】
図６（ｄ）は第４発明の押え部６の回動を停止させる方法として、自在継手８の中に異なる極同士を対面させた＋磁石２４、−磁石２４を、其々直交する軸受に固定したことを示す一実施形態の断面図である。第一駆動軸１１と第二駆動軸１２に異なる極を向き合わせた磁石２４を設けることにより、固定した状態が継続する。磁石２４が引き合う以上の力で押え部６を動かせば動き、押え部６を離すと保持される。
【実施例５】
【００４７】
第５発明の眼鏡装着具は、前記押え部６が自在継手８を介して前記連結部３に連結されており、前記自在継手８が前記押え部６の始端部に設けられた球状体１０と、該球状体１０を内部で回動可能に包み込む包囲体１３とで構成され、前記包囲体１３には、前記球状体１０の回動を抑制する摩擦部材が設けられていることを特徴としている。
【００４８】
図７（ａ）は、第５発明のジョイント部が自在継手８として、球状体１０と該球状体１０を内部で回転自在に包み込む包囲体１３が設けられていることを示す一実施形態の斜視図である。球状体１０を内部で回転自在に包み込む包囲体１３は、球状体１０を所定以上の力で回転を制御するために、包囲体１３の中心を左右方向に二分割し、この包囲体１３の外周に溝を設け、この溝に摩擦部材としてのバネ１４を嵌めて回動を抑制している。押え部６を一定以上の力を加えて三次元的に回動させると、球状体１０が連動するが、押え部６を放しても元に戻らないようになる。図７（ｂ）は球状体１０と該球状体１０を内部で三次元的に回転自在に包み込む包囲体１３を示す一実施形態の断面図である。押え部６が球状体１０に連結され、この球状体１０を外側に設けた溝にバネ４を嵌め込んだ包囲体１３を包み込んでいる。
【００４９】
図７（ｃ）テンプル２を耳に掛けるために、球状体１０に取り付けた押え部６を外側斜め下方に出した状態を示す一実施形態の斜視図である。図７（ｄ）は押え部６を耳甲介舟８の窪んだ位置まで横方法へ押し込んだ状態を示す一実施形態の斜視図である。図７（ｅ）は押え部６を上方に押し上げて、耳甲介舟８の内側に押し圧した状態を示す一実施形態の斜視図である。球状体１０と包囲体１３で形成したジョイント部は、動かす角度は制限されず、押え部６を最短距離であるの斜め上方に動かすことができる。ジョイント部は特にシンプルなデザインとなる。
【実施例６】
【００５０】
第６発明の眼鏡装着具は、前記押え部６が自在継手を介して前記連結部に連結されており、前記自在継手が前記押え部の始端部に設けられた球状体１０と、該球状体１０を内部で回動可能に包み込む包囲体１３とで構成され、前記包囲体１３と前記球状体１０との間には、前記球状体１０の回動を抑制するスプリングが設けられていることを特徴としている。
【００５１】
図８（ａ）は第６発明の自在継手８の外周に溝を設け、この溝にバネ１４を嵌め、球状体１０内に回動を抑制するスプリングが設けられていることを示す一実施形態の斜視図であり、図８（ｂ）は球状体１０内に引張コイルバネ１９を設けたことを示す断面図である。押え部６の始端部に連結した球状体１０に引張コイルバネ１９の一方端を固定し、他方端を包囲体１３に固定することにより、押え部６を全方向に動かしても、適宜の力で耳甲介舟８又は耳輪５の窪みに戻るようにできる。図８（ｃ）は包囲体１３の外周の圧縮バネ１４を省略し、球状体１０内の引張コイルバネ１９だけで制御することを示す一実施形態の断面図である。図８（ｄ）は球状体１０内に圧縮コイルバネ２０を設けた一実施形態の断面図である。引張コイルバネ１９、圧縮コイルバネ２０は球状体１０の回動を抑制する耐久性に優れたスプリングである。
【実施例７】
【００５２】
第７発明の眼鏡装着具は、前記押え部６の始端部近傍の内側から側方に突出する突起部２８が設けられており、該突起部２８と対向する前記連結部３の下端部には前記突起部２８を係止する係止部２９が設けられ、該係止部２９上に前記突起部２８を乗せて、押え部６の回動を阻止する構造であることを特徴としている。
【００５３】
図９（ａ）は第５発明の自在継手８を取り付けた連結部３の下端部から外側に突出する係止部２９に、押え部６の始端部近傍の内側から側方に突出する突起部２８を乗せた状態を示す一実施形態の側面図であり、図９（ｂ）は係止部２９に突起部２８を乗せた状態を示す斜視図であり、図９（ｃ）は係止部２９に突起部２８を乗せる前の状態を示す斜視図である。押え部６が外側に傾かないように包囲体１３が押え部６に接する下端部の形状は水平である。押え部６を外側下方から上方に上げて、突起部２８を係止部２９の上に乗せると同時に、押え部６を耳介甲舟４に嵌めることにより、押え部６の回動が阻止されるので眼鏡を保持することができる。
【実施例８】
【００５４】
第８発明の眼鏡装着具は、前記連結部３には、前記押え部６を前記耳介甲舟４、及び／又は、前記耳輪５の内側の窪みに嵌る方向に回動させる駆動部が設けられていることを特徴としている。
【００５５】
図１０（ａ）は第８発明の駆動部を第３発明のヒンジ２６を取り付けた連結部３に設けた一実施形態の正面図である。連結部３に第二モーター２２を設け、この第二モーター２２の軸を押え部６の始端部に連結することにより、押え部６は電気信号でもって斜め上下方向に駆動する。図１０（ｂ）は斜め外側の位置にある押え部６が斜め上方内側に動いて、耳甲介舟４に嵌った状態を示す斜視図である。図１０（ｃ）は第４発明の第一モーター２１と第二モーター２２を取り付けた状態を示す斜視図である。二個のモーターにより、自動的に押え部６を耳甲介舟４まで最短コースで動かして、耳上部を挟持することができる。眼鏡の着脱が容易である。
【実施例９】
【００５６】
第９発明の眼鏡装着具は、前記包囲体１３、及び／又は、前記球状体１０には、前記押え部６を前記耳介甲舟４、及び／又は、前記耳輪５の内側の窪みに嵌る方向に回動させる駆動部が設けられていることを特徴としている。
【００５７】
図１１（ａ）は第９発明の駆動部を包囲体１３と球状体１０に設けた一実施形態の斜視図であり、図１１（ｂ）は断面図である。包囲体１３の外周に第二モーター２２を取り付け、第二モーター２２の第二駆動軸１２を球状体１０に連結させ、球状体１０に第一モーター２１取り付け、第一モーター２１の第一駆動軸１１を押え部６の始端部に接続することにより、手を使わなくても電気信号でもって押え部６を自在に動かすことができる。  図１１（ｃ）は押え部６の始端部に第一モーター２１を取り付け、第一モーター２１の第一駆動軸１１を球状体１０に連結させて、球状体１０に取り付けた第二モーター２２の第二駆動軸１２を包囲体１３接続した一実施形態の断面図である。二個のモーターの連動により、三次元的な動きが可能となる。電気信号でもって押え部６は内側に動きながら上方に動いて、自動的に耳甲介舟８又は耳輪５の窪みの内側に密着させて耳上部を挟持することができる。
【００５８】
以上の実施形態において、駆動部は、小型モーターのほかに、固定側と可動側にそれぞれ磁石を配置して、設定した位置で可動側が安定し、そこから変位すると、可動側の磁石が固定側の磁石まで移動するような構成であっても良い。
【実施例１０】
【００５９】
第１０発明の眼鏡装着具は、前記連結部３には、前記眼鏡のテンプル２と該テンプルが装着される側頭部との隙間を埋めるブロック３８が設けられていることを特徴としている。
【００６０】
第１２（ａ）図は第１０発明の耳挟持具の連結部３にブロック３８を取り付けた一実施形態の斜視図である。連結部３の下端部を内側に突出させたブロック３８を、テンプル２と側頭部の隙間に設けることにより、側頭部に当接するブロック３８と耳甲介舟４に嵌る押え部６とモダン１の３支点で回転モーメントを阻止して、より確実に眼鏡を保持できる。第１２（ｂ)図はテンプル２を挟み込んだ連結部３の内側にブロック３８を設けることにより、広い範囲で側頭部に当接するので、側頭部に当接するブロック３８と耳甲介舟４に嵌る押え部６とモダン１の３支点で回転モーメントを阻止して、安定して眼鏡を保持できる。
【実施例１１】
【００６１】
第１１発明の眼鏡装着具は、前記眼鏡装着具に、イヤホン３０、骨伝導補聴器、補聴器、血流量センサー３２、耳式血圧装置３３、携帯電話と通信する通信機器３４、カメラ３５の何れかが取り付けられていることを特徴としている。
【００６２】
第１３（ａ）図は第６発明の耳挟持具の連結部３に取り付けた第１１発明のイヤホン３０を示す一実施形態の側面図である。イヤホン３０はアタッチメント３１に取り付けられ、他の機種と交換可能である。連結部３内にはバッテリーや通信機器を設けて、ワイヤレスイヤホン３０として使用できる。連結部３をテンプルに取り付けて安定して保持できる。図示しないが骨伝導補聴器、補聴器なども取り付けることができる。第１３（ｂ)図は第６発明の眼鏡装着具の連結部３に第１１発明のイヤホン３０を二手に分かれた押え部６に取り付けたことを示す一実施形態の側面図である。この押え部６により確実にイヤホン３０を取り付けて安定して保持できる。
【００６３】
第１３（ｃ)図は第４発明に係る眼鏡装着具の連結部３にイヤホン３０を取り付け、このイヤホン３０に、第１１発明の小型の血流量センサー３３を搭載したこと示す一実施形態の側面図である。眼鏡の取り付けた連結部３にバッテリーや制御部を備え、イヤホン３０に測定部を設けている。センサーはレーザー光を血管に向けて照射し、反射光の強さなどから血流量を検知する。血流量はストレスや血圧、脱水、熱中症などによって変動するため、音楽を聴きながら体の状態を測定、記録ができる。第１３（ｄ)図は第第４発明の眼鏡装着具の押え部６に第１１発明の耳式血圧装置３３を設けたことを示す一実施形態の側面図である。眼鏡をかけた時に、連結部３にバッテリーや制御部を備えた耳式血圧装置３３で２４時間血圧の測定、記録ができる。
【００６４】
第１３（ｅ)図は第４発明の眼鏡装着具に第１１発明のイヤホン３０と携帯電話と通信する通信機器３４を取り付けた一実施形態の側面図である。通信機器とバッテリーを内蔵した連結部３をテンプル２に取り付けているので、携帯電話と通信する通信機器３４を確実に保持し、常時イヤホン３０で情報を取ることができる。第１３（ｆ)図は第３、第１０発明に係る眼鏡装着具の連結部３にカメラ３５を取り付けたことを示す一実施形態の斜視図である。小型のカメラ３５とバッテリーを連結部３の中に設け、駆動部を内蔵したヒンジ２６により、自動的に押え部６を回動させて耳甲介舟８に嵌め込んで固定することができる。以上、説明したように本願発明の眼鏡装着具は、耳に装着可能な全ての眼鏡に備えて使用することができる。
【符号の説明】
【００６５】
１    モダン
２    テンプル
３    連結部
４    耳甲介舟
５    耳輪  
６    押え部  
８    自在継手
９    固定部材
１０  球状体
１１  第一駆動軸
１２  第二駆動軸
１３  包囲体
１４  バネ
１５  ネジ
１６  穴
１７  テープ
１８  関節
１９  引張コイルバネ
２０  圧縮コイルバネ
２１  第一モーター  
２２  第二モーター
２３  逆ネジボルト
２４  磁石
２５  スプリングワッシャー
２６  ヒンジ
２７  耳珠
２８  突起部
２９  係止部
３０  イヤホン
３１  アタッチメント
３２  血流量センサー
３３  耳式血圧装置
３４  携帯電話と通信する通信機器
３５  カメラ
３６  凹部
３７  凸部
３８  ブロック
【図１】
2018136372.tif 000003
【図２】
2018136372.tif 000004
【図３】
2018136372.tif 000005
【図４】
2018136372.tif 000006
【図５】
2018136372.tif 000007
【図６】
2018136372.tif 000008
【図７】
2018136372.tif 000009
【図８】
2018136372.tif 000010
【図９】
2018136372.tif 000011
【図１０】
2018136372.tif 000012
【図１１】
2018136372.tif 000013
【図１２】
2018136372.tif 000014
【図１３】
2018136372.tif 000015
【手続補正書】
【提出日】平成29年2月24日(2017.2.24)
【手続補正１】
【補正対象書類名】明細書
【補正対象項目名】０００６
【補正方法】変更
【補正の内容】
【０００６】
第１発明の眼鏡装着具は、眼鏡を耳で支持するための眼鏡と一体化された、又は分離可能な装着具であって、前記眼鏡のテンプル及び／又はモダンに装着する連結部と、該連結部から伸びて耳甲介舟に嵌る、及び又は、耳輪の内側の窪に嵌る押え部とを備えたことを特徴とする。
【手続補正２】
【補正対象書類名】明細書
【補正対象項目名】００１７
【補正方法】変更
【補正の内容】
【００１７】
第１発明の眼鏡装着具によれば、眼鏡と一体化された、又は眼鏡のテンプル及び／又はモダンに装着する連結部と、該連結部から伸びて耳甲介舟に嵌る、及び又は、耳輪の内側の窪に嵌る押え部とを備えたので、顔面や耳に装着する眼鏡を耳で確実に固定することができる。したがって、メガネに鼻パッドが無くても、それを眼前に保持することができる。
【手続補正３】
【補正対象書類名】明細書
【補正対象項目名】００３０
【補正方法】変更
【補正の内容】
【００３０】
図１（ａ）は第１発明の眼鏡装着具本体をテンプル２とモダン１の間に取り付けたことを示す一実施形態の斜視図であり、図１（ｂ）第１発明の眼鏡装着具本体を取り付けた眼鏡を左耳にかけた状態を示す一実施形態の斜視図である。押え部６の後端部は耳甲介舟４全体に嵌る弓形状である。図１（ｃ）は押え部６の後端部が耳甲介舟４を下方から押し圧する形状を示す一実施形態の斜視図である。図１（ｄ）は第１発明の別の眼鏡装着具として、押え部６の途中から二手に分かれ、耳輪５の内側の窪みに伸びて嵌る押え部６を耳に嵌めた状態を示す一実施形態の斜視図である。この押え部６は耳甲介舟４と耳輪５の内側の窪みと、モダン１との三方向から耳輪５上部を挟持するので、最も安定して眼鏡を保持できる。図１（ｅ）は耳輪５の内側の窪みに伸びて嵌る押え部３の状態を示す一実施形態の斜視図である。これらの図において、第１発明の眼鏡装着具は、眼鏡を耳で支持するための眼鏡と一体化された、又は分離可能な装着具であって、前記眼鏡のテンプル２及び／又はモダン１に装着する連結部３と、該連結部３から伸びて耳甲介舟４に嵌る、及び又は、耳輪５の内側の窪に嵌る押え部６とを備えたことを特徴としている。
【手続補正４】
【補正対象書類名】特許請求の範囲
【補正対象項目名】請求項１
【補正方法】変更
【補正の内容】
【請求項１】
眼鏡を耳で支持するための眼鏡と一体化された、又は分離可能な装着具であって、前記眼鏡のテンプル及び／又はモダンに装着する連結部と、該連結部から伸びて耳甲介舟に嵌る、及び又は、耳輪の内側の窪に嵌る押え部とを備えた眼鏡装着具。
【手続補正書】
【提出日】平成29年6月20日(2017.6.20)
【手続補正１】
【補正対象書類名】明細書
【補正対象項目名】全文
【補正方法】変更
【補正の内容】
【発明の詳細な説明】
【技術分野】
【０００１】
本発明は、眼鏡を耳の上部で挟持して確実に保持し、安定して装着するために、眼鏡に取り付ける眼鏡装着具に関する。
【背景技術】
【０００２】
従来、眼鏡はモダンを耳の耳介側頭溝に掛けて,鼻パッドを使用して装着しているので、レンズ部に取り付けた鼻パッドは、鼻に負担をかけている。出願人が先に「眼鏡」特許第５３６８６５７号，「眼鏡」特許第５４０６４１１号，「眼鏡」特許第５４５１９３５号を取得している。これらの「眼鏡」は、眼鏡を保持するために耳朶の裏表面に当接させている保持体と、挟持ストッパーが協働して挟持することによって、眼鏡を安定して固定しているが、人の耳は柔軟でありその形状は様々である。眼鏡を保持する耳の耳介側頭溝に沿わせることはできるが、耳朶を挟持して耳に対する負担を軽減させて、眼鏡を装着感が良く安定して固定させるには、さらなる改良を必要とする。
【０００３】
この問題に対しては、例えば、出願人が先に出願して、特許査定となっている下記特許文献１、２は、湾曲部の上方後方の傾斜した部分の支点と、耳挿入部が押し圧する耳甲介の後方内面との、垂直方向の二カ所で眼鏡を保持し、さらに湾曲部に連結された連結部は、耳輪を乗り越えて耳の表側に延設されて、耳挿入部に連結されているので、連結部の長さは短くコンパクトであるが、眼鏡装着時には髪の毛に絡み易く、電話をかける時に、連結部がスピーカーに当接して音声が聞きとれ難くなるおそれがある。
【先行技術文献】
【特許文献】
【０００４】
【特許文献１】特願２０１６−０５６５７４
【特許文献２】特願２０１６−０５６５７５
【発明の概要】
【発明が解決しようとする課題】
【０００５】
眼鏡は、レンズや機器の重量が鼻の両側の柔らかい皮膚面を押圧し、鼻パッドが当接した部分は変色して跡が残る。そうした製品を長時間装着することが問題であることは変わらない。本発明は、こうした問題を解決しようとするもので、一般の眼鏡の鼻や耳への負担を軽減させるために、耳の上部内側の凹部を利用して、耳の形状に合わせて確実に密着して、眼鏡のテンプル及び／又はモダンに装着する眼鏡装着具を提供することを課題とする。
【課題を解決するための手段】
【０００６】
第１発明の眼鏡装着具は、眼鏡を耳で支持するための眼鏡と一体化された、又は分離可能な装着具であって、前記眼鏡のテンプル及び又はモダンに装着する連結部と、該連結部から伸びて耳甲介舟に嵌る、及び又は、耳輪の内側の窪みに嵌る押え部とを備え、前記押え部が前記連結部に回動可能に連結されており、該押え部の始端部近傍に突起部が設けられ、該突起部と対向する前記連結部には前記突起部を係止する係止部が設けられ、該係止部上に前記突起部を乗せて、前記押え部の下向きの回動を阻止する構造であることを特徴とする。
【０００７】
第２発明の眼鏡装着具は、第１発明において、前記押え部が所定以上の力で塑性変形する部材で、及び／又は、前記嵌る方向に付勢する弾性体で構成されていることを特徴とする。
【０００８】
第３発明の眼鏡装着具は、第１又は２発明において、前記押え部がヒンジを介して前記連結部に回動可能に連結されており、前記ヒンジが前記押え部を前記耳甲介舟に嵌る位置で、及び又は、前記耳輪の内側の窪みに嵌る位置で、該押え部の動きを拘束する拘束部材を備えていることを特徴とする。
【０００９】
第４発明の眼鏡装着具は、第１又は２発明において、前記押え部が駆動軸を介して前記連結部に回動可能に連結されており、前記駆動軸が前記押え部を前記耳甲介舟に嵌る位置まで、及び又は、前記耳輪の内側の窪みに嵌る位置まで回動させて停止することを特徴とする。
【００１０】
第５発明の眼鏡装着具は、第１発明から４発明の何れかにおいて、前記眼鏡装着具に、イヤホン、骨伝導補聴器、補聴器、血流量センサー、耳式血圧装置、携帯電話と通信する通信機器、カメラの何れかが取り付けられていることを特徴とする
【発明の効果】
【００１１】
第１発明の眼鏡装着具によれば、眼鏡と一体化された、又は眼鏡のテンプル及び／又はモダンに装着する連結部と、該連結部から伸びて耳甲介舟に嵌る、及び又は、耳輪の内側の窪に嵌る押え部とを備え、前記押え部が前記連結部に回動可能に連結されており、該押え部の始端部近傍に突起部が設けられ、該突起部と対向する前記連結部には前記突起部を係止する係止部が設けられ、該係止部上に前記突起部を乗せるので、確実に押え部の回動が阻止され、顔面や耳に装着する眼鏡を耳で確実に固定することができる。したがって、メガネに鼻パッドが無くても、それを眼前に保持することができる。
【００１２】
第２発明によれば、押え部が所定以上の力で変形する部材、及び／又は、弾性体で構成されているので、押え部を耳甲介舟や耳輪の内側の窪に、適宜の力加減で嵌め込んで確実に固定することができる。
【００１３】
第３発明によれば、連結部には、耳甲介舟、及び／又は、耳輪の内側の窪みに嵌る方向に回動し、ヒンジを介している押え部の動きを所定位置で拘束する拘束部材を備えているので、適宜の位置に止めた時、その位置で確実に固定できる。
【００１４】
第４発明によれば、連結部には、耳甲介舟、及び／又は、耳輪の内側の窪みに嵌る方向に回動し、駆動軸を介している押え部の動きを所定位置で止めた時、その位置で確実に固定できる。
【００１５】
第５発明によれば、眼鏡装着具に、イヤホン、骨伝導補聴器、補聴器、血流量センサー、耳式血圧装置、携帯電話と通信する通信機器、カメラの何れかが取り付けられるので、眼鏡をかけた時に使用することができる。
【図面の簡単な説明】
【００１６】
【図１】第１発明の実施例を示す側面図、斜視図である。
【図２】第１発明の実施例を示す斜視図である。
【図３】第１発明の実施例を示す側面図、斜視図である。
【図４】第２発明の実施例を示す側面図、正面図である。
【図５】第２発明の実施例を示す側面図である。
【図６】第３発明の実施例を示す側面図、斜視図、断面図である。
【図７】第４発明の実施例を示す側面図、斜視図、断面図である。
【図８】第５発明の実施例を示す側面図、斜視図である。
【発明を実施するための形態】
【００１７】
以下、本発明に係る眼鏡装着具の実施形態の例を、様々な眼鏡装着具を例にして図面を参照しながら説明する。
【実施例１】
【００１８】
図１（ａ）は第１発明の眼鏡装着具本体をテンプル２とモダン１の間に取り付けたことを示す一実施形態の斜視図であり、図１（ｂ）第１発明の眼鏡装着具本体を取り付けた眼鏡を左耳にかけた状態を示す一実施形態の斜視図である。押え部６の後端部は耳甲介舟４全体に嵌る弓形状である。図１（ｃ）は押え部６の後端部が耳甲介舟４を下方から押し圧する形状を示す一実施形態の斜視図である。図１（ｄ）は第１発明の別の眼鏡装着具として、押え部６の途中から二手に分かれ、耳輪５の内側の窪みに伸びて嵌る押え部６を耳に嵌めた状態を示す一実施形態の斜視図である。この押え部６は耳甲介舟４と耳輪５の内側の窪みと、モダン１との三方向から耳輪５上部を挟持するので、最も安定して眼鏡を保持できる。図１（ｅ）は耳輪５の内側の窪みに伸びて嵌る押え部３の状態を示す一実施形態の斜視図である。これらの図において、第１発明の眼鏡装着具は、眼鏡を耳で支持するための眼鏡と一体化された、又は分離可能な装着具であって、前記眼鏡のテンプル２及び又はモダン１に装着する連結部３と、該連結部３から伸びて耳甲介舟４に嵌る、及び又は、耳輪５の内側の窪みに嵌る押え部６とを備え、前記押え部６が前記連結部３に回動可能に連結されており、該押え部６の始端部近傍に突起部２８が設けられ、該突起部２８と対向する前記連結部３には前記突起部２８を係止する係止部２９が設けられ、該係止部２９上に前記突起部２８を乗せて、前記押え部３の下向きの回動を阻止する構造であることを特徴としている。
【００１９】
第１発明の眼鏡装着具の押え部６は連結部３から後方に伸びて、眼鏡装着具を装着する人の耳の耳甲介舟、４及び又は、耳輪５の内側の窪に嵌って密着して内面を押し圧する形状である。この耳甲介舟８は耳の中心でもあり、周縁が軟骨で包囲されているので、押え部６は安定して固定できる。耳輪５の内側の窪みに嵌る押え部６は、押え部６の後方部が耳輪５の窪みの中に隠れるので、外見から見える部分が最も小さい眼鏡装着具である。そして、眼鏡装着具を装着すると、押え部３がテンプル２又はモダン１に連結している連結部３を支点とする回転モーメントが、モダン１と押え部３とによる耳輪５上部の挟持によって阻止されるため、眼鏡装着具は耳の所定の位置に保持される。また、押え部６は耳輪５より外側に突出することなく、耳の内側に収まり、後方に伸びているので、髪の毛に絡まずに装着は容易である。デザイン的にもシンプルである。
【００２０】
図１の実施形態では、眼鏡装着具は押え部６で耳を保持するが、耳の内側は、凹凸した形状の部分が多数存在している。また、人によって凹凸の形状が異なるので、その変形例として、その人の凹凸の形状の中で、押え部６が嵌り、そこから移動せずに内側を押圧する形状にすることは勿論可能である。窪みのある耳の内側であれば押圧する場所は限定されない。
【００２１】
本発明１の連結部３をテンプル２又はモダン１に結合させる実施形態として、図２（ａ）はテンプル２を上下から一定以上の力で挟持したことを示す斜視図である。テンプルを左右から挟持しても良い。図２（ｂ）はテンプルを上下からネジで締め付けて保持したことを示す斜視図である。図２（ｃ）はテンプルを左右からネジで締め付けて保持したことを示す斜視図である。図２（ｄ）はテンプルに穴１６を設けてネジ１５で締め付けて固定したことを示す斜視図である。図２（ｅ）は連結部３をテープ１７又はゴムなどで仮止めをして、適宜の位置が決定した後、接着させる方法を示す斜視図である。連結部３をテンプル２に移動可能にして固定する方法は限定しない。前後方向に自由に移動させることができるので、レンズと目との間を示す角膜頂点間距離１２ｍｍの調整も可能となる。これにより、市販された眼鏡のテンプル２に取り付け、鼻に負担のかからない装着感の良い眼鏡装着具として便利に使用できる。
【００２２】
図３（ａ）は自在継手８を取り付けた連結部３の下端部から外側に突出する係止部２９に、押え部６の始端部近傍の内側から側方に突出する突起部２８を乗せた状態を示す一実施形態の側面図であり、図３（ｂ）は係止部２９に突起部２８を乗せた状態を示す斜視図であり、図３（ｃ）は係止部２９に突起部２８を乗せる前の状態を示す斜視図である。押え部６が外側に傾かないように包囲体１３が押え部６に接する下端部の形状は水平である。押え部６を外側下方から上方に上げて、突起部２８を係止部２９の上に乗せると同時に、押え部６を耳介甲舟４に嵌めることにより、押え部６の回動が阻止されるので眼鏡を保持することができる。
【００２３】
本発明の押え部３の材質は、シリコンゴム、ＡＢＳ、ＣＰ、ポリエステル、アセテート、ＰＶＣ、ポリアミド、ニュクレル、形状記憶樹脂、ベータプラスチック、チタンなどである。押え部３が耳甲介舟８や耳輪５の窪みに接する部分の表層材としては、人肌のように柔軟な部材であるエラストマーゲル状ウレタンを用いると良い。また、肌の温度で変形する樹脂も適している。
【００２４】
以下の図では、第１発明の構成部分と同様な部分については、その説明を省略又は簡略化し、第１発明と異なる部分の実施形態について説明する。
【実施例２】
【００２５】
第２発明の眼鏡装着具は、前記押え部６が所定以上の力で塑性変形する部材で、及び／又は、前記嵌る方向に付勢する弾性体で構成されていることを特徴としている。
【００２６】
図４（ａ）は、第２発明の変形する部材で形成された押え部６を示す一実施形態の斜視図である。矢印が示すように押え部６を耳甲介舟４の形状に合わせて密着させるために、押え部６は一定以上の力を加えると変形するが、放しても元に戻らない。このとき挟持する押し圧の調整は可能である。図４（ｂ）は第２発明の変形する部材で形成された押え部６を、耳輪５の内側の窪みの形状に合致させたことを示す斜視図である。押え部６は耳輪５の窪みに嵌り易い形状であり装着感は良い。
【００２７】
第２発明の眼鏡装着具に係る押え部６が、弾性体を利用して耳を挟持する一実施形態として、図４（ｃ）は第２発明の弾性体の押え部６を指で外側に引っ張った状態を示す正面図である。図４（ｄ）は耳介甲舟４に嵌めるために、押え部６を指で下側に押し下げた正面図である。図４（ｅ）は押え部６が弾性による付勢する力で内側に戻る状態を示す正面図である。図４（ｆ）は押え部６が弾性による付勢する力で上方に戻り、耳甲介舟８を下方から押し圧することを示す正面図である。押え部６を指先で摘まみ、一連の動作をすることにより、適宜の力で耳輪５の上部を上下から挟持するので、簡単に確実に適宜の位置に固定することができる。
【００２８】
図５（ａ）は第２発明の押え部６が二手に分かれ、分かれた一方の押え部６を耳輪５の内側の窪みに嵌め、他方の押え部６を耳甲介舟８に嵌るように、矢印が示す方向に曲げた状態を示す一実施形態の側面図である。図５（ｂ）は分かれた一方の押え部６を耳甲介舟８に嵌め、他方の押え部６を耳輪５の内側の窪みに嵌るように、矢印が示す方向に曲げた状態を示す一実施形態の側面図である。
【００２９】
図５（ｃ）は第２発明の押え部６が二手に分かれ、分かれた一方の押え部６を耳輪５の内側の窪みに嵌め、他方の押え部６に関節１８を設け、矢印が示すように耳甲介舟８に嵌めた状態を示す一実施形態の側面図である。図５（ｄ）は分かれた一方の押え部６を耳甲介舟８に嵌め、他方の押え部６に関節１８を設け、耳輪５の内側の窪みに嵌るように、矢印が示す方向に曲げた状態を示す一実施形態の側面図である。二手に分かれた押え部６を適宜の位置に調整して、様々な人の耳に密着させて挟持感の良い眼鏡装着具にすることができる。
【実施例３】
【００３０】
第３発明の眼鏡装着具は、前記押え部６がヒンジ２６を介して前記連結部３に回動可能に連結されており、前記ヒンジ２６が前記押え部６を前記耳甲介舟４に嵌る位置で、及び又は、前記耳輪５の内側の窪みに嵌る位置で、該押え部３の動きを拘束する拘束部材を備えていることを特徴としている。
【００３１】
図６（ａ）は第３発明の連結部３に拘束部材を設けた左側用のヒンジ２６を示す一実施形態の斜視図であり、図６（ｂ）は連結部３に取り付けたヒンジ２６を示す説明図である。拘束部材が押え部６を拘束する方法は、押え部６の始端部に逆ネジボルト２３の駆動軸を取り付け、この駆動軸を連結部３に設けた斜め下方に傾斜した逆ネジ穴にねじ込むと、この逆ネジ穴の奥に設けた圧縮コイルバネ１９の押し圧により押え部６が拘束される。駆動軸は適宜の位置で止めた時、その位置で押え部６を拘束して固定することができる。右側用のヒンジ２６は普通のネジ穴とボルトで良い。図６（ｃ）、図６（ｄ）は第３発明の拘束部材として、連結部３に凹部３６を、押え部６の始端部に凸部３７を設けたことを示す斜視図である。凹部３６は弾性体で形成されて、凸部３７は凹部３６を押し広げて嵌ると凹部３６の弾性体が閉って押え部６は拘束される。（例えば、凹部に嵌ると抜け難くなる凸部や、回動するに連れてネジが締まるブレーキ機構等）
【実施例４】
【００３２】
第４発明の眼鏡装着具は、前記押え部６が駆動軸を介して前記連結部３に回動可能に連結されており、前記駆動軸が前記押え部６を前記耳甲介舟４に嵌る位置まで、及び又は、前記耳輪５の内側の窪みに嵌る位置まで回動させて停止することを特徴としている。
【００３３】
図７（ａ）は第４発明の押え部６の回動を停止させるために、斜め下方に傾斜させた第二駆動軸１２にスプリングワッシャー２５を嵌めたことを示す一実施形態の斜視図である。自在継手８に逆ネジボルト２３を取り付け、この第二駆動軸１２にスプリングワッシャー２５を嵌め込んで、適宜の強さで緩まないようにナットで締め付けると、どの位置であっても押え部６を継続して停止させることができる。図７（ｂ）は連結部３に第二駆動軸１２を設けた自在継手８を、斜め下方に傾斜させ、押え部６の始端部を自在継手８に接続し、第二駆動軸１２の外周にバネ１４を設けたことを示す一実施形態の斜視図である。第二駆動軸１２に設けたバネ１４は、押え部６を斜め上方にある耳甲介舟４の方向に戻そうとする力があり、バネ１４を適宜の力に調整することにより、装着感を良くして着脱も容易にできる。
【００３４】
図７（ｃ）は第４発明のジョイント部の第一駆動軸１１及び第二駆動軸１２の外側にバネ１４を設けたことを示す一実施形態の斜視図である。第一駆動軸１１の外側に巻き付けたバネ１４の一方端を連結部３に固定し、他方端を第二駆動軸１２の自在継手８に固定している。第二駆動軸１２の外側に巻き付けたバネ１４の一方端を第二駆動軸１２の自在継手８に固定し、他方端を押え部６に固定している。これにより、矢印が示すように、押え部６が二手に分かれて耳甲介舟８と耳輪５の内側の窪み嵌ることにより、それぞれに付勢する力が広い範囲に働いて挟持できるので、非常に安定している。
【００３５】
図７（ｄ）は第４発明の押え部６の回動を停止させる方法として、自在継手８の中に異なる極同士を対面させた＋磁石２４、−磁石２４を、其々直交する軸受に固定したことを示す一実施形態の断面図である。第一駆動軸１１と第二駆動軸１２に異なる極を向き合わせた磁石２４を設けることにより、固定した状態が継続する。磁石２４が引き合う以上の力で押え部６を動かせば動き、押え部６を離すと保持される。
【実施例５】
【００３６】
第５発明の眼鏡装着具は、前記眼鏡装着具に、イヤホン３０、骨伝導補聴器、補聴器、血流量センサー３２、耳式血圧装置３３、携帯電話と通信する通信機器３４、カメラ３５の何れかが取り付けられていることを特徴としている。
【００３７】
第８（ａ）図は眼鏡装着具の連結部３に取り付けた第５発明のイヤホン３０を示す一実施形態の側面図である。イヤホン３０はアタッチメント３１に取り付けられ、他の機種と交換可能である。連結部３内にはバッテリーや通信機器を設けて、ワイヤレスイヤホン３０として使用できる。連結部３をテンプルに取り付けて安定して保持できる。図示しないが骨伝導補聴器、補聴器なども取り付けることができる。第８（ｂ)図は眼鏡装着具の連結部３に第５発明のイヤホン３０を二手に分かれた押え部６に取り付けたことを示す一実施形態の側面図である。この押え部６により確実にイヤホン３０を取り付けて安定して保持できる。
【００３８】
第８（ｃ)図は第４発明に係る眼鏡装着具の連結部３にイヤホン３０を取り付け、このイヤホン３０に、第５発明の小型の血流量センサー３２を搭載したこと示す一実施形態の側面図である。眼鏡の取り付けた連結部３にバッテリーや制御部を備え、イヤホン３０に測定部を設けている。センサーはレーザー光を血管に向けて照射し、反射光の強さなどから血流量を検知する。血流量はストレスや血圧、脱水、熱中症などによって変動するため、音楽を聴きながら体の状態を測定、記録ができる。第８（ｄ)図は第４発明の眼鏡装着具の押え部６に第５発明の耳式血圧装置３３を設けたことを示す一実施形態の側面図である。眼鏡をかけた時に、連結部３にバッテリーや制御部を備えた耳式血圧装置３３で２４時間血圧の測定、記録ができる。
【００３９】
第８（ｅ)図は第４発明の眼鏡装着具に第５発明のイヤホン３０と携帯電話と通信する通信機器３４を取り付けた一実施形態の側面図である。通信機器とバッテリーを内蔵した連結部３をテンプル２に取り付けているので、携帯電話と通信する通信機器３４を確実に保持し、常時イヤホン３０で情報を取ることができる。第８（ｆ)図は第３に係る眼鏡装着具の連結部３にカメラ３５を取り付けたことを示す一実施形態の斜視図である。小型のカメラ３５とバッテリーを連結部３の中に設け、駆動部を内蔵したヒンジ２６により、自動的に押え部６を回動させて耳甲介舟８に嵌め込んで固定することができる。以上、説明したように本願発明の眼鏡装着具は、耳に装着可能な全ての眼鏡に備えて使用することができる。
【符号の説明】
【００４０】
１    モダン
２    テンプル
３    連結部
４    耳甲介舟
５    耳輪  
６    押え部  
８    自在継手
９    固定部材
１０  球状体
１１  第一駆動軸
１２  第二駆動軸
１３  包囲体
１４  バネ
１５  ネジ
１６  穴
１７  テープ
１８  関節
１９  引張コイルバネ
２０  圧縮コイルバネ
２３  逆ネジボルト
２４  磁石
２６  ヒンジ
２８  突起部
２９  係止部
３０  イヤホン
３１  アタッチメント
３２  血流量センサー
３３  耳式血圧装置
３４  携帯電話と通信する通信機器
３５  カメラ
３６  凹部
３７  凸部
【手続補正２】
【補正対象書類名】特許請求の範囲
【補正対象項目名】全文
【補正方法】変更
【補正の内容】
【特許請求の範囲】
【請求項１】
眼鏡を耳で支持するための眼鏡と一体化された、又は分離可能な装着具であって、前記眼鏡のテンプル及び又はモダンに装着する連結部と、該連結部から伸びて耳甲介舟に嵌る、及び又は、耳輪の内側の窪みに嵌る押え部とを備え、前記押え部が前記連結部に回動可能に連結されており、該押え部の始端部近傍に突起部が設けられ、該突起部と対向する前記連結部には前記突起部を係止する係止部が設けられ、該係止部上に前記突起部を乗せて、前記押え部の下向きの回動を阻止する構造である眼鏡装着具。
【請求項２】
前記押え部が所定以上の力で塑性変形する部材で、及び／又は、前記嵌る方向に付勢する弾性体で構成されている請求項１に記載の眼鏡装着具。
【請求項３】
前記押え部がヒンジを介して前記連結部に回動可能に連結されており、前記ヒンジが前記押え部を前記耳甲介舟に嵌る位置で、及び又は、前記耳輪の内側の窪みに嵌る位置で、該押え部の動きを拘束する拘束部材を備えている請求項１又は２に記載の眼鏡装着具。
【請求項４】
前記押え部が駆動軸を介して前記連結部に回動可能に連結されており、前記駆動軸が前記押え部を前記耳甲介舟に嵌る位置まで、及び又は、前記耳輪の内側の窪みに嵌る位置まで回動させて停止する請求項１又は２に記載の眼鏡装着具。    
【請求項５】
前記眼鏡装着具に、イヤホン、骨伝導補聴器、補聴器、血流量センサー、耳式血圧装置、携帯電話と通信する通信機器、カメラ、ラジオの何れかが取り付けられていることを特徴とする請求項１から４の何れかに記載の眼鏡装着具。
【手続補正４】
【補正対象書類名】図面
【補正対象項目名】全図
【補正方法】変更
【補正の内容】
【図１】
2018136372.tif 000016
【図２】
2018136372.tif 000017
【図３】
2018136372.tif 000018
【図４】
2018136372.tif 000019
【図５】
2018136372.tif 000020
【図６】
2018136372.tif 000021
【図７】
2018136372.tif 000022
【図８】
2018136372.tif 000023